(57)【要約】      （修正有）【課題】販売促進用ノベルティとして価値のあるマグネットシート及びそのマグネットシートを用いた組立構造体を提供する。【解決手段】本マグネットシートは、上面には第１の強化シート１を設け、下面には第２の強化シート２を設け、前記第１の強化シートと前記第２の強化シートの間には磁石シート３が設けた積層構造からなり、少なくとも前記第１の強化シートと前記磁石シートに亘る第１の切り込み１１と、少なくとも前記第２の強化シートと前記磁石シートに亘る第２の切り込み１２とを交互に形成する。【選択図】図２
2004313693.tif 000002
【特許請求の範囲】
【請求項１】
上面には第１の強化シートを設け、下面には第２の強化シートを設け、前記第１の強化シートと前記第２の強化シートの間には磁石シートを設けた積層構造からなり、少なくとも前記第１の強化シートと前記磁石シートに亘る切り込みを形成したことを特徴とするマグネットシート。
【請求項２】
上面には第１の強化シートを設け、下面には第２の強化シートを設け、前記第１の強化シートと前記第２の強化シートの間には磁石シートが設けた積層構造からなり、少なくとも前記第１の強化シートと前記磁石シートに亘る第１の切り込みと、少なくとも前記第２の強化シートと前記磁石シートに亘る第２の切り込みとを交互に形成したことを特徴とするマグネットシート。
【請求項３】
請求項２に記載のマグネットシートを使用した組立構造体において、前記第１の切り込みを間隔をおいて設けるとともに、前記第１の切り込みの間に第２の切り込みを設けたことによってフックとして機能する起立部を設け、該起立部は側面板より形成されることを特徴とする組立構造体。
【請求項４】
前記起立部の周辺で組立時に当接する当接片を設けたことを特徴とする請求項３に記載の組立構造体。
【請求項５】
請求項２に記載のマグネットシートを使用した組立構造体において、前記第１の切り込みを少なくとも２以上設けるとともに、前記第２の切り込みを少なくとも２以上設けたことによってポケットとして機能する起立部を設け、該起立部は少なくとも正面板と側面板より形成されることを特徴とする組立構造体。
【請求項６】
前記起立部の周辺で組立時に係合する係合片を設けたことを特徴とする請求項５に記載の組立構造体。
【請求項７】
マグネットシートの一部より型抜きされたことを特徴とする請求項３乃至請求項６に記載の組立構造体。
【発明の詳細な説明】
【０００１】
【発明の属する技術分野】
本発明は、販売促進用ノベルティなどとして有用なマグネットシート及び磁着フック構造体、磁着フレーム構造体、ポケット構造体に関するものである。
【０００２】
【従来の技術】
販売促進用ノベルティとしては、ティッシュペーパーが一般的であるが、ティッシュペーパーは代り映えがなく、他のノベルティ商品の開発が望まれている。すなわち、販売促進にはノベルティ自身の斬新さも要求される。
【０００３】
そのような要望に応えるものとして、特開平１０−２４８７０５のようにフック構造体を一枚の打ち抜き品によって構成したものが開示されている。
【０００４】
この特開平１０−２４８７０５に記載のフック構造体は、図１１に示されるとおり、一枚の打ち抜き品にフック片及び固着片を形成し、背面に貼付層を設けたものである。
【発明が解決しようとする課題】
【０００５】
しかし、前記の特開平１０−２４８７０５に記載のフック構造体は使用に際して壁面に貼り付けを行うものであり、一度貼り付けを行ってしまうと壁面から取り外しができなくなるか、または、壁面から取り外しができた場合でも壁面に貼り付け痕が残ってしまうという問題を有していた。
【０００６】
また、上記のような貼付型のフック体とは別に、書類留め用マグネットシート等もノベルティとして提供されてきたが、極わずかな書類を留めることも容易ではなく、格別な目新しさも無く、ノベルティとしては有用性に乏しいものである。
【０００７】
本発明の目的は、上記の問題に鑑み、販売促進用ノベルティとして価値のあるマグネットシート及びそのマグネットシートを用いた組立構造体を提供するものである。
【課題を解決するための手段】
【０００８】
上記課題を解決するために、本発明は、上面には第１の強化シートを設け、下面には第２の強化シートを設け、前記第１の強化シートと前記第２の強化シートの間には磁石シートを設けた積層構造からなり、少なくとも前記第１の強化シートと前記磁石シートに亘る切り込みを形成したことを特徴とするマグネットシートを提供するものである。
【０００９】
前記の切り込みは第２の強化シートには達しないように形成され、マグネットシートの背面側が開くように折曲可能である。このように構成されたマグネットシートにおいては、第１の強化シートがヒンジとして機能するため、マグネットシートの耐久性は向上し、複数回の折曲に際してもマグネットシートは容易に破断することがない。
【００１０】
また、本発明のマグネットシートは、上面には第１の強化シートを設け、下面には第２の強化シートを設け、前記第１の強化シートと前記第２の強化シートの間には磁石シートが設けた積層構造からなり、少なくとも前記第１の強化シートと前記磁石シートに亘る第１の切り込みと、少なくとも前記第２の強化シートと前記磁石シートに亘る第２の切り込みとを交互に形成することも可能である。
【００１１】
前記の第１の切り込みは第２の強化シートには達しないように形成され、マグネットシートの背面側が開くように折曲可能であり、第２の切り込みは第１の強化シートには達しないように形成され、それぞれの切り込みは交互に形成される。このように構成されたマグネットシートにおいては、第１の強化シートと第２の強化シートがそれぞれヒンジとして機能するため、マグネットシートの耐久性は向上し、複数回の折曲に際してもマグネットシートは容易に破断することがないとともに、折曲を行うことで立体的な構造に組立てることが可能であり、平面のみでは成しえなかった新規な装飾性を付与することが可能である。
【００１２】
さらに、前記のマグネットシートを使用して、新規な組立構造体を提供することが可能である。
【００１３】
本発明の別の態様として、前記第１の切り込みを間隔をおいて設けるとともに、前記第１の切り込みの間に第２の切り込みを設けたことによってフックとして機能する起立部を設け、該起立部は側面板より形成される組立構造体を提供するものである。
【００１４】
このような構成の組立構造体は、マグネットシートに形成された切込みに従って折曲を行うことによって、磁着式のフック体を組立てることが可能である。これによって、従来の接着式のフック体においては困難であった複数回の使用を可能とするものである。
【００１５】
また、フックとして使用する場合には、前記起立部の周辺で組立時に当接する当接片を設けることによって、組立時に隙間を生じさせること無く、意匠性を向上させることが可能である。
【００１６】
本発明の組立構造体はフックとしての使用のみに限らず、例えば、前記第１の切り込みを少なくとも２以上設けるとともに、前記第２の切り込みを少なくとも２以上設けたことによってポケットとして機能する起立部を設け、該起立部は少なくとも正面板と側面板より形成することによって、小物の収納具として使用することが可能である。
【００１７】
また、ポケットとしての使用する場合には、前記起立部の周辺で組立時に係合する係合片を設けることによって、組立時のポケット形状を強固に維持し、ポケット形状の崩壊を防止することが可能である。
【００１８】
さらに、本発明のマグネットシートを使用した組立構造体は、マグネットシートにて形成された離型と組立構造体を一体のカード形状とすることが可能であり、使用時に組立構造体を離型から型抜きすることも可能である。
【００１９】
尚、本発明のマグネットシート及び該マグネットシートを使用した組立構造体において、前記第１の強化シートまたは前記第２の強化シートには表面にキャラクター、文字等の表示を設けることが可能である。前記の表示は、従来公知の手法を用いて設けることが可能であり、例えば強化シート表面に印刷を行うことや、強化シートの表面に別途表示体を貼り付けることによっても可能である。
【００２０】
【発明の実施の形態】
以下、本発明の実施の形態について説明する。図１は、本発明のマグネットシートの実施例１を表す側断面図であり、図２は、本発明のマグネットシートの実施例２を表す側断面図であり、図３は、本発明の実施例３を表す展開図であり、図４は本発明の実施例３の使用状態を表す斜視図であり、図５は本発明の実施例４を表す展開図であり、図６は本発明の実施例４の使用状態を表す斜視図であり、図７は本発明の実施例５を表す展開図であり、図８は本発明の実施例５の使用状態を表す斜視図であり、図９は本発明の実施例６を表す展開図であり、図１０は本発明の実施例６の使用状態を表す斜視図である。
【００２１】
図１に示す通り、本発明のマグネットシートに関する実施例１は、上面には第１の強化シート１を設け、下面には第２の強化シート２を設け、前記第１の強化シート１と前記第２の強化シート２の間には磁石シート３を設けた積層構造からなり、少なくとも前記第１の強化シート１と前記磁石シート３に亘る切り込み１０を設けるように構成した。
【００２２】
前記の切り込み１０は第２の強化シート２には達しないように形成され、マグネットシート１００の背面側が開くように折曲可能である。このように構成されたマグネットシート１００においては、第１の強化シート１がヒンジとして機能するため、マグネットシート１００の耐久性は向上し、複数回の折曲に際してもマグネットシート１００は容易に破断することがない。
【００２３】
図２に示される本発明のマグネットシートに関する実施例２は、上面には第１の強化シート１を設け、下面には第２の強化シート２を設け、前記第１の強化シート１と前記第２の強化シート２の間には磁石シート３が設けた積層構造からなり、少なくとも前記第１の強化シート１と前記磁石シート３に亘る第１の切り込み１１と、少なくとも前記第２の強化シート２と前記磁石シート３に亘る第２の切り込み１２とを交互に設ける構成とした。
【００２４】
前記の第１の切り込み１１は第２の強化シート２には達しないように形成され、マグネットシート１０１の背面側が開くように折曲可能であり、第２の切り込み１２は第１の強化シート１には達しないように形成され、それぞれの切り込み１１、１２は交互に形成される。このように構成されたマグネットシート１０１においては、第１の強化シート１と第２の強化シート２がそれぞれヒンジとして機能するため、マグネットシート１０１の耐久性は向上し、複数回の折曲に際してもマグネットシート１０１は容易に破断することがないとともに、折曲を行うことで立体的な構造に組立てることが可能であり、平面のみでは成しえなかった新規な装飾性を付与することが可能である。
【００２５】
図３及び図４にて示される本発明の組立構造体に関する実施例３は、前記第１の切り込み１１を間隔をおいて２つ設けるとともに、前記第１の切り込み１１の間に第２の切り込み１２を設けたことによってフックとして機能する起立部２０を設け、該起立部２０は側面板２１より形成される組立構造体１０２を構成したものである。尚、本実施例において、２つの第１の切り込み１１と第２の切り込み１２は、それぞれの一端を共有するように形成したものである。
【００２６】
このような構成の組立構造体１０２は、マグネットシート１０１に形成された切り込み１１、１２に従って折曲を行うことによって、磁着式のフック体を組立てることが可能である。これによって、従来の接着式のフック体においては困難であった複数回の使用を可能とするものである。
【００２７】
また、フックとして使用してフック形状に組立を行った場合、前記起立部２０の周辺で組立時に当接する当接片２４を設けることによって、組立時に隙間を生じさせること無く、意匠性を向上させることが可能である。
【００２８】
尚、本実施例では、当接片２４とともに係合片２５を形成することによってフック形状の崩壊を防止し、フック形状の維持を容易なものとしている。
【００２９】
図５及び図６にて示される本発明の組立構造体に関する実施例４は、前記実施例３とほぼ同様の構成であるが、本実施例においては、２つの第１の切り込み１１と第２の切り込み１２は、それぞれ交差しないように形成されている。
【００３０】
図７及び図８にて示される本発明の組立構造体に関する実施例５は、前記第１の切り込み１１を２つ設けるとともに、前記第２の切り込み１２を２つ設けたことによってポケットとして機能する起立部２０を設け、該起立部２０は正面板２２と側面板２１より形成することによって、小物の収納具として使用することが可能である。
【００３１】
また、ポケットとしての使用する場合には、前記起立部２０の周辺で組立時に係合する係合片２５を設けることによって、組立時のポケット形状を強固に維持し、ポケット形状の崩壊を防止することが可能である。
【００３２】
図９及び図１０にて示される本発明の組立構造体に関する実施例６は、前記第１の切り込み１１を３つ設けるとともに、前記第２の切り込み１２を３つ設けたことによってポケットとして機能する起立部２０を設け、該起立部２０は正面板２２と側面板２１と底面板２３より形成されてなり、実施例５よりも多くの小物を収納することが可能である。
【００３３】
尚、本発明のマグネットシートを使用した組立構造体は、マグネットシートにて形成された離型２００と組立構造体１０２を一体のカード形状とすることが可能であり、使用時に組立構造体１０２を離型２００から型抜きすることも可能である。
【００３４】
尚、本発明のマグネットシート及び該マグネットシートを使用した組立構造体において、前記第１の強化シートまたは前記第２の強化シートには表面にキャラクター、文字等の表示を設けることが可能である。前記の表示は、従来公知の手法を用いて設けることが可能であり、例えば強化シート表面に印刷を行うことや、強化シートの表面に別途表示体を貼り付けることによっても可能である。
【００３５】
【発明の効果】
以上のように、本発明の請求項１に記載のマグネットシートは、マグネットシートの耐久性は向上し、複数回の折曲に際してもマグネットシートは容易に破断することを防止することが可能である。
【００３６】
また、本発明の請求項２に記載のマグネットシートは、マグネットシートの耐久性は向上し、複数回の折曲に際してもマグネットシートは容易に破断することがないとともに、折曲を行うことで立体的な構造に組立てることが可能であり、平面のみでは成しえなかった新規な装飾性を付与することが可能である。
【００３７】
本発明の請求項３に記載の組立構造体は、従来の接着式のフック体においては困難であった複数回の使用を可能とするものである。
【００３８】
また、本発明の請求項４に記載の組立構造体によって、組立時に隙間を生じさせること無く、意匠性を向上させることが可能である。
【００３９】
本発明の請求項５に記載の組立構造体は、小物の収納具として使用することが可能である。
【００４０】
また、本発明の請求項６に記載の組立構造体によって、組立時のポケット形状を強固に維持し、ポケット形状の崩壊を防止することが可能である。
【００４１】
また、本発明の請求項７に記載の組立構造体によって、マグネットシートにて形成された離型と組立構造体を一体のカード形状とすることが可能であるので未使用時の外観も良く、ダイレクトメール等のように郵送に際しても便利である。
【図面の簡単な説明】
【図１】本発明のマグネットシートの実施例１を表す側断面図。
【図２】本発明のマグネットシートの実施例２を表す側断面図。
【図３】本発明の実施例３を表す展開図。
【図４】本発明の実施例３の使用状態を表す斜視図。
【図５】本発明の実施例４を表す展開図。
【図６】本発明の実施例４の使用状態を表す斜視図。
【図７】本発明の実施例５を表す展開図。
【図８】本発明の実施例５の使用状態を表す斜視図。
【図９】本発明の実施例６を表す展開図。
【図１０】本発明の実施例６の使用状態を表す斜視図。
【図１１】従来例を示す展開図。
【符号の説明】
１    第１の強化シート
２    第２の強化シート
３    磁石シート
１０  切り込み
１１  第１の切り込み
１２  第２の切り込み
２０  起立部
２１  側面板
２２  正面板
２３  底面板
２４  当接片
２５  係合片
１００  マグネットシート
１０１  マグネットシート
１０２  組立構造体
２００  離型
【図１】
2004313693.tif 000003
【図２】
2004313693.tif 000004
【図３】
2004313693.tif 000005
【図４】
2004313693.tif 000006
【図５】
2004313693.tif 000007
【図６】
2004313693.tif 000008
【図７】
2004313693.tif 000009
【図８】
2004313693.tif 000010
【図９】
2004313693.tif 000011
【図１０】
2004313693.tif 000012
【図１１】
2004313693.tif 000013